(57)【要約】      （修正有）【課題】連続生産が容易なチャック付き袋であって、開封開始手段から袋を開封した際に、袋の引裂き縁部を易引裂き性線部に沿ったものとすることができ、袋の開封部分に所望の段差を形成することができるチャック付き袋を提供する。【解決手段】開封開始手段５と、該手段５から最も離れた位置にある易引裂き性線部Ｌ１１との間隔をｄαとし、側縁３ａと側縁３ｂの間隔（シール部分は含まない）をｄβとしたとき、３０×ｄα≦ｄβを満たす構成とする。【選択図】図１
0003217440.tif 000002
【実用新案登録請求の範囲】
【請求項１】
表側フィルムと裏側フィルムとが重ね合わされ、少なくとも対向する一対の側縁がヒートシールされており、
前記表側フィルムと前記裏側フィルムとの間には、一方の側縁から他方の側縁に延在するチャックテープが取り付けられており、
前記ヒートシールされた部分には少なくとも一つの開封開始手段が形成され、
前記表側フィルムには、前記チャックテープと平行な二本の易引裂き性線部Ｌ１１、Ｌ１２が形成され、
前記裏側フィルムには、前記チャックテープと平行で、前記易引裂き性線部Ｌ１１、Ｌ１２のいずれとも重ならない二本の易引裂き性線部Ｌ２１、Ｌ２２が形成されており、
前記易引裂き性線部Ｌ１１、Ｌ１２及び前記易引裂き性線部Ｌ２１、Ｌ２２は、いずれもチャックテープに対し、袋の底と反対側に形成されており、
前記開封開始手段が、前記表側フィルムの前記易引裂き性線部Ｌ１１とＬ１２との間であって、尚且つ、前記裏側フィルムの前記易引裂き性線部Ｌ２１とＬ２２の間となる位置に形成されたチャック付き袋において、
前記易引裂き性線部Ｌ１１、Ｌ１２、Ｌ２１、Ｌ２２のうち、前記開封開始手段から最も離れた易引裂き性線部と、前記開封開始手段との間隔をｄα、ヒートシールされた前記一対の側縁の間隔をｄβとするとき、下記式１を満たすことを特徴とするチャック付き袋。
式１：３０×ｄα≦ｄβ
【請求項２】
前記開封開始手段が切込であることを特徴とする請求項１記載のチャック付き袋。
【請求項３】
前記易引裂き性線部Ｌ１１、Ｌ１２、Ｌ２１、Ｌ２２のうち、
前記チャックテープに最も近い易引裂き性線部と、前記チャックテープの上端との間隔をｄγ、
前記チャックテープに二番目に近い易引裂き性線部と、前記チャックテープの上端との間隔をｄδ、とするとき、下記式２及び式３を満たすことを特徴とする請求項１または２記載のチャック付き袋。
式２：１．５ｍｍ≦ｄγ≦１０．０ｍｍ
式３：２．０ｍｍ≦ｄδ≦１５．０ｍｍ
【請求項４】
前記易引裂き性線部Ｌ１１、Ｌ１２、Ｌ２１、Ｌ２２のうち、
前記チャックテープに最も近い易引裂き性線部と前記チャックテープに二番目に近い易引裂き性線部との間隔をｄ１、前記チャックテープに二番目に近い易引裂き性線部と前記チャックテープに三番目に近い易引裂き性線部との間隔をｄ２、前記チャックテープに三番目に近い引裂き性線部と前記チャックテープに四番目に近い易引裂き性線部との間隔をｄ３とするとき、下記式４乃至式６のいずれも満たすことを特徴とする請求項１乃至３のいずれかに記載のチャック付き袋。
式４：０．５ｍｍ≦ｄ１≦８．０ｍｍ
式５：０．５ｍｍ≦ｄ２≦８．０ｍｍ
式６：０．５ｍｍ≦ｄ３≦８．０ｍｍ
【請求項５】
前記表側フィルムの前記易引裂き性線部Ｌ１１とＬ１２と、前記裏側フィルムの前記易引裂き性線部Ｌ２１とＬ２２とが、チャック付き袋の平面視において、交互に配置されていることを特徴とする請求項１乃至４のいずれかに記載のチャック付き袋。
【考案の詳細な説明】
【技術分野】
【０００１】
本考案は表側フィルムと裏側フィルムとの間にチャックテープが取り付けられたチャック付き袋であって、開封の契機となる開封開始手段と、開封後の引裂きを誘導する易引裂き性線部が設けられたチャック付き袋に関する。
【背景技術】
【０００２】
表側フィルムと裏側フィルムとの間にチャックテープが取り付けられたチャック付き袋において、開封開始手段と、易引裂き性線部とが設けられたものが知られている。該チャック付き袋は、はさみなどの道具を用いることなく、開封開始手段から手でフィルムを引裂いて袋を開封することができる。開封後、フィルムを易引裂き性線部に沿って引裂き進めることにより、包装袋の引裂き縁部（開口部）は設計通りの意匠性に優れたものとなる。
このようなチャック付き袋においてしばしば問題となるのが、開封後の口開き性である。チャック付き袋は、チャックが閉じられていると、引裂き縁部における表側フィルムと裏側フィルムとが近接する為、口開き性が悪い。特に易引裂き性線部に沿って引裂かれたものは、表側フィルムの引裂き縁部と裏側フィルムの引裂き縁部が一直線上に重なる為、各フィルムを一枚ずつ摘むことが難しく、袋を開き難い。
【０００３】
このような問題を解決する為に、表側フィルムにおける易引裂き性線部と裏側フィルムにおける易引裂き性線部とが重ならないチャック付き袋が提案されている。特許文献１は、開封時に上方向、下方向、斜め方向のいずれの方向に袋が引裂かれたとしても、引裂き縁部（引裂きの縁部）が表側フィルム（一方のフィルム）と裏側フィルム（他方のフィルム）でずれる（一致しない）包装袋に関する発明である。ずれてできた段差部分（突出部分）は袋を開口する際のつまみ部として利用できる。
特許文献１に開示された包装袋は、開封開始手段（開封開始部）が易引裂き性線部（引裂き誘導弱め線）と繋がっている為、袋を開封開始手段から引裂いた後、確実に易引裂き性線部に沿って引裂き進めることができる。しかしながら、通常、開封開始手段はカッター等により形成され、易引裂き性線部はレーザー加工機等の別手段により形成されるため、易引裂き性線部と開封開始手段とは位置ずれが生じやすい。特に開封開始手段が切込（Ｉ字状のノッチ）の場合、易引裂き性線部と開封開始手段を確実に繋げることは高難度である。
【０００４】
特許文献２もまた、表側フィルム（表面フィルム）と裏側フィルム（裏面フィルム）に易引裂き性線部（易開封線）が形成された包装袋であって、各易引裂き性線部が重ならない包装袋に関する発明である。特許文献２には、複数の易引裂き性線部の間に開封開始手段が設けられた包装袋が開示されている。該包装袋は、易引裂き性線部と開封開始手段とを正確には位置合わせする必要がなく、連続生産し易い。
【先行技術文献】
【特許文献】
【０００５】
【特許文献１】特開２０１４−２１８２７８
【特許文献２】特開２０１６−１３７９３０
【考案の概要】
【考案が解決しようとする課題】
【０００６】
しかしながら複数の易引裂き性線部の間に開封開始手段が設けられている場合、袋を開封開始手段から引裂いた後、引裂かれた部分が易引裂き性線部に導かれないことがある。例えば特許文献２の図１に示す包装袋の場合、表側フィルム及び裏側フィルムが開封開始手段（ノッチ５）からほぼ真横に引裂かれると、その引裂き縁部は易引裂き性線部（易開封線２１ａや２１ｂ）には到達せず、易引裂き性線部（易開封線２１ａや２１ｂ）の間に出現し、微妙に歪んだ意匠性に劣るものとなる。また引裂き縁部は表側フィルムと裏側フィルムとでずれることがなく、設計した幅の段差が形成されない。
【０００７】
本考案は連続生産が容易なチャック付き袋であって、開封開始手段から袋を開封した際に、袋の引裂き縁部を易引裂き性線部に沿ったものとすることができ、袋の開封部分に所望の段差を形成することができるチャック付き袋の提供を課題とする。
【課題を解決するための手段】
【０００８】
本発明によると上記課題を解決する為の手段として、表側フィルムと裏側フィルムとが重ね合わされ、少なくとも対向する一対の側縁がヒートシールされており、前記表側フィルムと前記裏側フィルムとの間には、一方の側縁から他方の側縁に延在するチャックテープが取り付けられており、前記ヒートシールされた部分には少なくとも一つの開封開始手段が形成され、前記表側フィルムには、前記チャックテープと平行な二本の易引裂き性線部Ｌ１１、Ｌ１２が形成され、前記裏側フィルムには、前記チャックテープと平行で、前記易引裂き性線部Ｌ１１、Ｌ１２のいずれとも重ならない二本の易引裂き性線部Ｌ２１、Ｌ２２が形成されており、前記易引裂き性線部Ｌ１１、Ｌ１２及び前記易引裂き性線部Ｌ２１、Ｌ２２は、いずれもチャックテープに対し、袋の底と反対側に形成されており、前記開封開始手段が、前記表側フィルムの前記易引裂き性線部Ｌ１１とＬ１２との間であって、尚且つ、前記裏側フィルムの前記易引裂き性線部Ｌ２１とＬ２２の間となる位置に形成されたチャック付き袋において、前記易引裂き性線部Ｌ１１、Ｌ１２、Ｌ２１、Ｌ２２のうち、前記開封開始手段から最も離れた易引裂き性線部と、前記開封開始手段との間隔をｄα、ヒートシールされた前記一対の側縁の間隔をｄβとするとき、下記式１を満たすことを特徴とするチャック付き袋が提供される。
式１：３０×ｄα≦ｄβ
【０００９】
また、前記開封開始手段が切込であることを特徴とする前記チャック付き袋が提供される。
また、前記易引裂き性線部Ｌ１１、Ｌ１２、Ｌ２１、Ｌ２２のうち、前記チャックテープに最も近い易引裂き性線部と、前記チャックテープの上端との間隔をｄγ、前記チャックテープに二番目に近い易引裂き性線部と、前記チャックテープの上端との間隔をｄδ、とするとき、下記式２及び式３を満たすことを特徴とする前記チャック付き袋が提供される。
式２：１．５ｍｍ≦ｄγ≦１０．０ｍｍ
式３：２．０ｍｍ≦ｄδ≦１５．０ｍｍ
【００１０】
また、前記易引裂き性線部Ｌ１１、Ｌ１２、Ｌ２１、Ｌ２２のうち、前記チャックテープに最も近い易引裂き性線部と前記チャックテープに二番目に近い易引裂き性線部との間隔をｄ１、前記チャックテープに二番目に近い易引裂き性線部と前記チャックテープに三番目に近い易引裂き性線部との間隔をｄ２、前記チャックテープに三番目に近い引裂き性線部と前記チャックテープに四番目に近い易引裂き性線部との間隔をｄ３とするとき、下記式４乃至式６のいずれも満たすことを特徴とする前記チャック付き袋が提供される。
式４：０．５ｍｍ≦ｄ１≦８．０ｍｍ
式５：０．５ｍｍ≦ｄ２≦８．０ｍｍ
式６：０．５ｍｍ≦ｄ３≦８．０ｍｍ
また、前記表側フィルムの前記易引裂き性線部Ｌ１１とＬ１２と、前記裏側フィルムの前記易引裂き性線部Ｌ２１とＬ２２とが、チャック付き袋の平面視において、交互に配置されていることを特徴とする請求項１乃至４のいずれかに記載のチャック付き袋が提供される。
【考案の効果】
【００１１】
本考案のチャック付き袋は、袋の側縁の間隔に対し、開封開始手段から易引裂き性線部までの間隔が非常に狭い。その為、袋を開封開始手段から引裂いた際に、引裂かれた部分はほぼ確実に易引裂き性線部に到達する。引裂かれた部分が易引裂き性線部に到達すると、引裂き縁部の形状は直線状となり、意匠性に優れたものとなる。また、表側フィルムの引裂き縁部と裏側フィルムの引裂き縁部との間に、一定幅の突出部分（段差）が形成される。該突出部分をつまみとして利用すれば、チャック付き袋を開口することが容易となる。
また本考案のチャック付き袋は、開封開始手段と易引裂き性線部の正確な位置合わせを必要としない為、開封開始手段を切込（Ｉ字状のノッチ）とすることができる。開封開始手段がＶ字状のノッチや亀甲状の切欠きである場合、切欠かれた部分が袋内に紛れ込む恐れがあるが、フィルムを線状に切断しただけの切込である場合、このような心配がない。
【００１２】
またチャックテープから最も近い易引裂き性線部から、前記チャックテープの上端までの間隔ｄγが１．５〜１０．０ｍｍであり、チャックテープから二番目に近い易引裂き性線部から、前記チャックテープの上端までの間隔ｄδが２．０〜１５．０ｍｍであると、袋が下方に引裂かれた場合であっても、チャックテープの上に十分なつまみが形成され、袋の口開き性は良好である。
【００１３】
また各易引裂き性線部の間隔を特定範囲内とすることにより、開封開始手段を容易かつ確実に所望の位置に設けることができ、また開封後の袋の開口性を特に良好なものとすることができる。
また表側フィルムの二本の易引裂き性線部と裏側フィルムの二本の易引裂き性線部とが、チャック付き袋の平面視において、交互に配置されていると、チャックテープを上方に引裂いて袋を開封した場合も、下方に引裂いて開封した場合も、突出部分が一方のフィルム側となる。よって、フィルムの引裂き方向に関係なく、突出部分を目立ち難くすることができる。
【図面の簡単な説明】
【００１４】
【図１】本考案の一実施形態における正面図（Ａ）、背面図（Ｂ）である。
【図２】図１におけるＡ−Ａ部分拡大図（Ａ）、Ｂ−Ｂ部分拡大図（Ｂ）である。
【図３】図１に示すチャック付き袋を、フィルムを上方に引き上げながら開封した際に形成される引裂き縁部を表す為の模式図（Ａ）と、フィルムを下方に引き下げながら開封した際に形成される引裂き縁部を表す為の模式図（Ｂ）である。
【考案を実施するための形態】
【００１５】
以下、本考案のチャック付き袋の実施の形態について説明する。尚、本考案は以下の形態に限定されるものではなく、同様の効果を奏する範囲において種々の形態をとることができる。  
【００１６】
図１は本考案の一実施形態であるチャック付き袋１の正面図（Ａ）と背面図（Ｂ）である。図１に示すチャック付き袋１は表側フィルム２１と裏側フィルム２２と底側フィルム２３とからなり、表側フィルム２１と裏側フィルム２２とは重ね合わされ、対向する一対の側縁３ａ、３ｂにおいてヒートシールされている。また袋の底部分において、表側フィルム２１と裏側フィルム２２との間に底側フィルム２３が挟み込まれ、船底状にシールされている。図１のチャック付き袋１の形状は、自立袋あるいはスタンドパウチと呼ばれるものである。本考案のチャック付き袋は当該形状に限定されるものではなく、少なくともチャックテープよりも上方（底側と反対側）において、ヒートシールされた一対の側縁を有する形状であればよく、例えば三方シール袋、四方シール袋、チャック付きガゼット袋等の形状をとることができる。
【００１７】
本考案のチャック付き袋１は、表側フィルム２１と裏側フィルム２２との間に、一方の側縁３ａから他方の側縁３ｂに延びるチャックテープ４が取り付けられている。該チャックテープ４は、公知のものを特に限定なく用いることができるが、平坦な支持部（テープ部）に雄爪を有する雄型のテープと、平坦な支持部に雌爪を有する雌型のテープから成るものが一般的である。
【００１８】
本考案のチャック付き袋１は、側縁３ａ及び／又は側縁３ｂに開封開始手段５が形成されている。開封開始手段５は対向する一対の側縁３ａ、３ｂの一方にのみ形成されていてもよいが、双方に形成されていることが望ましい。一方にのみ形成されていると、一旦持ち上げたチャック付き袋１を開封に際して持ち直す必要が生じることがある。尚、開封開始手段５が、側縁３ａと側縁３ｂの双方に設けられている場合、各開封開始手段５のチャックテープ４からの間隔は等しいことが望ましい。
開封開始手段５は、切込（Ｉ字状のノッチ）、Ｖ字状のノッチ、Ｕ字状のノッチ、亀甲状の切欠き、多数の傷痕等とすることができるが、フィルムを線状に切断しただけの切込であることが望ましい。Ｖ字状のノッチ、Ｕ字状のノッチ、亀甲状の切欠き等は、フィルムの切欠かれた部分を取り除く必要があり、当該作業が煩雑である。また切欠かれた部分が袋内に紛れ込む恐れもある。多数の傷痕を設けることも、チャック付き袋の製造工程を煩雑にする。
【００１９】
図２は、図１におけるＡ−Ａ部分拡大図（Ａ）、Ｂ−Ｂ部分拡大図（Ｂ）である。本発明のチャック付き袋は、前記表側フィルムに二本の易引裂き性線部Ｌ１１、Ｌ１２が形成され、裏側フィルムにも二本の易引裂き性線部Ｌ２１、Ｌ２２が形成されている。これらの易引裂き性線部Ｌ１１、Ｌ１２、Ｌ２１、Ｌ２２は、いずれもチャック付き袋を平面視した際に、重ならない。その為、袋を易引裂き性線部に沿って開封すれば、引裂き縁部に段差を形成することができる。
またこれらの易引裂き性線部は、チャックテープよりも上側（チャックテープに対し、袋の底と反対側）に形成されている。よって、開封後、該チャックテープを嵌合させることにより袋を再封することができ、内容物が漏れ出ることを防止できる。
【００２０】
図１及び図２に示すチャック付き袋１は、開封開始手段５と、該手段５から最も離れた位置にある易引裂き性線部Ｌ１１との間隔をｄαとし、側縁３ａと側縁３ｂの間隔（シール部分は含まない）をｄβとしたとき、ｄβ≒７０×ｄαである。ｄβに対しｄαが十分に小さい為、一方の側縁３ａの開封開始手段５から袋を開封すると、引裂かれた部分は、他方の側縁３ｂに至るまでにほぼ確実に易引裂き性線部Ｌ１１及びＬ２１に到達するか、あるいは易引裂き性線部Ｌ１２及びＬ２２に到達する。尚、ｄβはｄαの３０倍以上であれば上述した効果が得られるが、４０倍以上であることが好ましく、特に５０倍以上であることが望ましい。ｄαが小さいほど、開封開始手段５から袋を開封した際に、引裂かれた部分が易引裂き性線部へ誘導されやすい。また、ｄβに対するｄαの割合が小さいほど、引裂き縁部における直線状の部分の割合が大きくなる。
尚、図１及び図２に示すチャック付き袋では、開封開始手段５と易引裂き性線部Ｌ１１との間隔と、開封開始手段５と易引裂き性線部Ｌ２２との間隔が等しい。
【００２１】
また本考案のチャック付き袋は、チャックテープ４に最も近い易引裂き性線部Ｌ２２と、チャックテープ上端４ａとの間隔ｄγが１．５〜１０．０ｍｍ、チャックテープに二番目に近い易引裂き性線部Ｌ１２と、チャックテープ上端４ａとの間隔ｄδが２．０〜１５．０ｍｍであることが望ましい。前記間隔ｄγが１．５ｍｍ未満の場合や、前記間隔ｄδが２．０ｍｍ未満の場合は、チャック付き袋が下方に引裂かれた場合に、チャックテープ上部に残されるフィルムが短くなり過ぎ、フィルムをつまみにくくなる。また間隔ｄγが１０．０ｍｍを超えたり、ｄδが１５．０ｍｍを超えたりしても、効果の向上（開口性の更なる改善）は見られず、袋を製造する為に必要なフィルムの面積が大きくなるだけである。
尚、本考案におけるチャックテープ上端４ａとは、表側フィルム２１又は裏側フィルム２２とチャックテープ４とが接している部分のうち、最も上方（開口側）の端縁を意味する。
【００２２】
またチャックテープ４に最も近い易引裂き性線部Ｌ２２と前記チャックテープに二番目に近い易引裂き性線部Ｌ１２との間隔をｄ１、前記チャックテープに二番目に近い易引裂き性線部Ｌ１２と前記チャックテープに三番目に近い易引裂き性線部Ｌ２１との間隔をｄ２、前記チャックテープに三番目に近い引裂き性線部Ｌ２１と前記チャックテープに四番目に近い易引裂き性線部との間隔Ｌ１１をｄ３とするとき、開封手段５よりも上方の易引裂き性線部Ｌ１１とＬ２１との間隔、即ちｄ３と、開封開始手段５よりも下方の引裂き性線部Ｌ１２とＬ２２の間隔は、即ちｄ１は、共に０．５〜８．０ｍｍであることが望ましく、特に１．０〜５．０ｍｍ、更には１．０〜３．０ｍｍ、１．５〜２．５ｍｍであることが好ましい。該間隔が０．５ｍｍ未満の場合、袋を上方あるいは下方に引裂いた際に形成される段差が十分でなく、段差を利用して表側フィルムや裏側フィルムをつまみ難い。また該間隔が８．０ｍｍを超えても、効果の向上（つまみ易さの更なる改善）は見られず、袋を製造する為に必要なフィルムの面積が大きくなるだけである。
また開封開始手段５に最も近い易引裂き性線部Ｌ１２とＬ２１との間隔、即ちｄ２は、０．５〜８．０ｍｍであることが望ましく、特に１．０〜７．０ｍｍ、更には２．０ｍｍ〜６．０ｍｍ、２．６〜５．０ｍｍであることが好ましい。該間隔が０．５ｍｍを下回ると、易引裂き性線部Ｌ１２とＬ２１との間に、開封開始手段５を設けることが難しくなる。また該間隔が８．０ｍｍを超えても、効果の向上（開封開始手段の設け易さの改善）は見られず、袋を製造する為に必要なフィルムの面積が大きくなるだけである。
【００２３】
本考案のチャック付き袋は、表側フィルムに二本の易引裂き性線部Ｌ１１、Ｌ１２が形成されており、裏側フィルムにも二本の易引裂き性線部Ｌ２１、Ｌ２２が形成されている。そして表側フィルムにおいても裏側フィルムにおいても、二本の易引裂き性線部の間に開封開始手段５が形成されている。
図１におけるチャック付き袋では、平面視において、表側フィルムの易引裂き性線部Ｌ１１、Ｌ１２と、裏側フィルムの易引裂き性線部Ｌ２１、Ｌ２２とが、交互に配置されている。詳しくは、袋の上方から順に、Ｌ１１、Ｌ２１、Ｌ１２、Ｌ２２の順に配されている。そして易引裂き性線部Ｌ２１とＬ１２の間に開封開始手段５が形成されている。
そのためチャック付き袋を開封する際に、開封者が開封開始手段の上方を摘んで、摘んだ部分を上側に引き上げた場合は、図３（Ａ）に一点破線にて示すように、表側フィルムは易引裂き性線部Ｌ１１に沿って、裏側フィルムは易引裂き性線部Ｌ２１に沿って引裂かれる。また開封者が摘んだ部分を下側に引き下げた場合、図３（Ｂ）に一点破線にて示すように、表側フィルムは易引裂き性線部Ｌ１２に沿って、裏側フィルムは易引裂き性線部Ｌ２２に沿って引裂かれる。尚、本考案のチャック付き袋は、易引裂き性線部は表側フィルム２１に二本、裏側フィルム２２に二本形成されていれば、それ以上形成される必要はない。
【００２４】
図１及び図２に示すチャック付き袋は、袋の上方から順に、Ｌ１１、Ｌ２１、Ｌ１２、Ｌ２２の順に配されている。その為、図３（Ａ）に示すように、フィルムを上方に引き上げながら引裂いても、図３（Ｂ）に示すように、フィルムを下方に引き下げながら引裂いても、表側フィルム２１の引裂き縁部６１の方が、裏側フィルム２２の引裂き縁部６２よりも上方に位置することとなる。そのため開封後のチャック付き袋１を表側から見たときにフィルムの内面が見えない。
チャック付き袋１の多くは、フィルムの外面には印刷が施され、内面には印刷が施されていない。よって引裂き縁部においてフィルムの内面が見えると目立つ。特にフィルムが金属層を備える積層フィルムである場合は、フィルムの内面は銀色であることが多く、段差部分は非常に目立つ。図１に示すチャック付き袋は、表側から見た際にフィルムの内面が見えない為、意匠性に優れる。
【００２５】
尚、幼児や高齢者向けの商品においては、引裂き縁部における段差が目立つことが望まれる場合がある。このような場合は、易引裂き性線部を、袋の上方から順に、Ｌ２１、Ｌ１１、Ｌ２２、Ｌ１２の順に配すればよい。フィルムの引裂き方向に関係なく、袋の表側からフィルムの内面が見えることとなるため、開口する際にフィルムをつまむ部分を認識し易い。
【００２６】
次に、本考案のチャック付き袋の製造方法について一例を挙げて説明するが、本考案は以下の製造方法に限定されるものではない。
尚、本考案において、表側フィルムや裏側フィルム、更には底面フィルムに用いられるフィルムは、特に限定されるものではなく、従来、チャック付き袋を構成するフィルムとして採用されているものを、適宜用いることができる。例えば、基材層／シーラント層の二層のフィルムや、基材層／中間層／シーラント層の三層のフィルム等を用いることができる。また基材層として、ポリエチレンテレフタレートやポリアミド、ポリプロピレン等からなるフィルムを延伸処理したフィルムを例示することができ、シーラント層として、ポリエチレンフィルムやポリプロピレンフィルム等を例示することができる。また中間層としては、アルミニウム箔や、ポリアミドフィルム、蒸着フィルム等を例示することができる。
【００２７】
まず、表側フィルムの内面と裏側フィルムの内面にチャックテープを取り付ける。
表側フィルムの内面と裏側フィルムの内面に、チャックテープを取り付ける方法は、チャックテープが、平坦な支持部（テープ部）を有する者である場合は、該テープ支持部の裏面（雄爪又は雌爪の形成されていない面）に接着剤を塗布し、該接着剤により表側フィルムや裏側フィルムに貼合すればよい。
尚、チャックテ−プとして平坦な支持部のないものも使用することもできるが、このようなチャックテープは、表側フィルムや裏側フィルムの内側となる面に、直接、雄爪又は雌爪の形をしたチャックテープ用樹脂を押し出して成形すればよい。
【００２８】
次いで、表側フィルムと裏側フィルムと、必要に応じて更に底側フィルムとを重ね合わせ、所望の形状に製袋する。このとき、内容物を充填する為の部分（以下、「充填口」と略称する）を残して製袋する。  
【００２９】
次いで、表側フィルム及び裏側フィルムに、それぞれ二本の易引裂き性線部を設ける。易引裂き線部を設ける方法は、従来公知の手段によることができる。例えばレーザー光線によって、各フィルムの基材層に溝を形成し、各フィルムを線状に弱化させればよい。また本考案の易引裂き性線部は直線状であるため、スリッター刃等の刃物を用いて、フィルムの基材層にのみ溝を形成しても良い。
尚、易引裂き性線部は製袋後に設けてもよいが、製袋前のフィルムに設けても良い。
【００３０】
最後に、開封開始手段を設ける。図１及び図２に示すチャック付き袋は、開封開始手段が直線状の切込であるため、例えばカッターなどにより、側縁のヒートシール部分の一部を切込めばよい。
充填口を残して各フィルムがヒートシールされ、開封開始手段及び易引裂き性線部が形成されれば本考案のチャック付き袋は完成である。
【００３１】
本考案のチャック付き袋は使用に際し、充填口から内容物を充填し、該充填口をヒートシールすればよい。図１に示すチャック付き袋１は、袋の上方がヒートシールされていない。該チャック付き袋１を使用する際は、ヒートシールされていない上方から袋に内容物を入れた後、チャックを閉じ、更に袋の上方をヒートシールすればよい。
尚、例えば側縁３ａ、３ｂの一部や、底のシール部分の一部をシールせずに充填口として利用することもできる。いずれの場合も、内容物を入れた後、充填口は速やかにヒートシールされることが望まれる。  
【符号の説明】
【００３２】
１      チャック付き袋
２１    表側フィルム
２２    裏側フィルム
３ａ    側縁
３ｂ    側縁
４      チャックテープ
４ａ    チャックテープの上端
５      開封開始手段
６１    引裂き縁部（表側フィルム）
６２    引裂き縁部（裏側フィルム）
Ｌ１１  易引裂き性線部（表側フィルムの上方側）
Ｌ１２  易引裂き性線部（表側フィルムの下方側）
Ｌ２１  易引裂き性線部（裏側フィルムの上方側）
Ｌ２２  易引裂き性線部（裏側フィルムの下方側）
ｄα    開封開始手段から最も離れた易引裂き性線部と、開封開始手段との間隔
ｄβ    側縁の間隔
ｄγ    チャックテープに最も近い易引裂き性線部と、該テープ上端との間隔
ｄδ    チャックテープに二番目に近い易引裂き性線部と、該テープ上端との間隔
ｄ１    チャックテープに最も近い易引裂き性線部と、二番目との間隔
ｄ２    チャックテープに二番目に近い易引裂き性線部と、三番目との間隔
ｄ３    チャックテープに三番目に近い易引裂き性線部と、四番目との間隔
【図１】
0003217440.tif 000003
【図２】
0003217440.tif 000004
【図３】
0003217440.tif 000005